(57)【要約】【課題】多功能置物箱を提供する。【解決手段】多功能置物箱は、長方形の底面を有し、底面周辺にそれぞれ、対称位置の第一側壁と第二側壁を連接し、第一側壁は、水平折線を有して、上半段と下半段を区分し、第一側壁中央は垂直折線により左右両半段を区分し、上半段の中央上端から水平折線の対称両角端は、それぞれ、第一斜折線と第二斜折線を設置し、第一側壁の上半段により三角形の第一板体、第二板体、第三板体、第四板体を区分し、第二側壁は、水平折線を有して、上板体と下板体を区分し、且つ、第二側壁の水平折線と第一側壁の水平折線は、相同の高度である。上述の構造により、置物箱を扁平状に折り畳んだり、置物箱の収納空間を縮小、拡大でき、或いは、置物箱上方を折り畳んで蓋体にすることができる。【選択図】図１
0003128060.tif 000002
【実用新案登録請求の範囲】
【請求項１】
多功能置物箱であって、長方形の底面を有し、前記底面周辺にそれぞれ、対称位置の第一側壁と第二側壁を連接し、その特徴は、
前記第一側壁は、水平折線を有して、上半段と下半段を区分し、前記第一側壁中央は垂直折線により左右両半段を区分し、前記上半段の中央上端から前記水平折線の対称両角端は、それぞれ、第一斜折線と第二斜折線を設置し、前記第一側壁の上半段により三角形の第一板体、第二板体、第三板体、第四板体を区分し、
前記第二側壁は、水平折線を有して、上板体と下板体を区分し、且つ、前記第二側壁の水平折線と前記第一側壁の水平折線は、相同の高度であることを特徴とする多功能置物箱。
【請求項２】
前記置物箱は、軟質の布により複数の板体を包覆してなり、前記板体の間のギャップは布により連接し、折線を構成することを特徴とする請求項１に記載の多功能置物箱。  
【請求項３】
前記置物箱の底面は軟質の布で、前記底面上に剛性の底板を放置することを特徴とする請求項１、或いは、２に記載の多功能置物箱。
【考案の詳細な説明】
【技術分野】
【０００１】
本考案は、多功能置物箱に関するものであって、特に、置物箱は扁平に折り畳むことができ、また、置物箱の収納空間を縮小、拡大もでき、或いは、置物箱上方は蓋体を折畳できる多功能設計である多功能置物箱に関するものである。
【背景技術】
【０００２】
体積を縮小して収蔵を便利にする理由に基づき、公知の折り畳み式置物箱の種類は非常に多い。例えば、ある設計は、軟質の布を採用して、複数の板体を包覆し、板体と板体間は布により連接して、折線を形成し、置物箱が展開直立し、物品を放置することができ、また、置物箱は折り畳んで扁平状にすることもできる。
【０００３】
しかし、公知の折り畳み式置物箱は、物品を収容する空間を拡大することができず、箱体を折り畳んで、箱体上方を覆蓋する蓋体にすることもできない。
【考案の開示】
【考案が解決しようとする課題】
【０００４】
本考案の設計は、公知の折り畳み式置物箱が物品の収納空間を拡大できない欠点と、箱体を折り畳んで、箱体上方を覆蓋する蓋体にすることができない欠点を改善する物品を収納する多功能置物箱を提供することを目的とする。
【課題を解決するための手段】
【０００５】
本考案は、軟質の布により複数の板体を包覆し、板体と板体間は布により連接して、折線を形成し、折線は特別な設計により、置物箱が展開直立し、物品を放置することができ、また、置物箱は折り畳んで扁平状にすることもでき、本置物箱は、収納する物品の多寡に応じてその容積を変化させることができ、更に、置物箱上方は折り畳んで蓋体にすることもできる。
【０００６】
この他、本考案は、置物箱の底面に自由に取り出し、及び、放入できる剛性底板を設置し、置物箱の基礎とする。剛性底板は、直接、置物箱の底面に縫合して固定することができる。
【考案の効果】
【０００７】
本考案の置物箱は、不使用時に、展開、或いは、折り畳み方式で体積を縮小できるだけでなく、構造が簡単で、よって、製造コストも低く、操作使用が容易で、新規性を有する。
【考案を実施するための最良の形態】
【０００８】
図１は、本考案の多功能置物箱の好ましい実施例を示す図である。軟質の布を箱体の表面材料とし、軟質布内部は、複数の剛性の板体を包覆し、板体の間のギャップは布により連接され、折線を構成し、置物箱の箱体１を構成する。箱体１の構造は長方形の底面１３を有し、底面１３の周辺は、それぞれ、対称位置にある第一側壁１１と第二側壁１２を連接する。第一側壁１１は、水平折線１１６を有して、上半段と下半段を区分し、且つ、第一側壁１１中央は垂直折線１１５により左右両半段を区分する。上半段の中央上端から水平折線１１６の対称両角端は、それぞれ、第一斜折線１１７と第二斜折線１１８を設置し、第一側壁１１の上半段により三角形の第一板体１１１、第二板体１１２、第三板体１１３、第四板体１１４を区分する。
【０００９】
両第二側壁１２は、水平折線１２３を有して、上板体１２１と下板体１２２を区分し、且つ、第二側壁１２の水平折線１２３と第一側壁１１の水平折線１１６は、相同の高度である。
【００１０】
本考案の箱体底面１３は、直接、軟質の布により製作し、底面１３上に剛性の底板２を放置して、箱体を安定させる基礎とする。剛性の底板を箱体の底面に縫合固定してもよい。
【００１１】
前述のような実施例の構造により、収納する物品が多い時、図１で示されるように、箱体１を直立展開して、最大の容積状態にする。収納する物品が少ない時、折り畳んで小さい容積にすることができる。その折り畳み方式は、図２で示されるように、直接、水平折線１１６と１２３に沿って、第一側壁１１の上半段と第二側壁１２の上板体１２１を内側に向かって、上半段が第一側壁に重畳するまで、及び、上板体１２１が第二側壁の下板体１２２に重畳するまで、折り畳む（図３で示される）。
【００１２】
本考案の箱体は、蓋体を有する形態にも折り畳むことが出来、その折り畳み方式は、図４で示されるように、図１の状態の両第二側壁１２の上板体１２１を互いに相対する方向に係合し、第一側壁１１の上半段の中央を、両上板体１２１、及び、第一側壁の上半段が水平状態に圧成されるまで対称に突出させ（図５で示される）、最後に、三角形を呈する第一側壁の上半段を下に折り畳んで、第一側壁１１の下半段に重畳させる（図６で示される）。
【００１３】
図６で示される蓋体を有する箱体は、その両側の第一側壁上半段は露出式であるが、本考案の箱体が折り畳まれて、蓋体を有する状態であるとき、第一側壁の上半段を隠蔵することもできる。その折り畳み方式は図７で示されるように、図１の状態の両第二側壁１２の上板体１２１を互いに相対する方向に係合し、第一側壁１１の上半段中央を、上板体１２１、及び、第一側壁１１の上半段が水平状態に圧成するまで対称両側方向に接近させ、第一側壁上半段を両上板体１２１下方に重畳して、隠蔵する（図８で示される）。
【００１４】
不使用時、或いは、製品出荷時、箱体１を扁平状に折り畳み（図９）、底板２を扁平な箱体上に放置して、さらに、包装材料により梱包して、ストックする。
【００１５】
この他、本考案は、箱体底面の対角線で割り、ファスナー１４を設置して（図１４）、ファスナー１４を開く時、底面１３は開き、閉合すると、底面１３を形成する。
【００１６】
本考案のもう一つの実施例は、上板体１２１辺縁に覆蓋片１５を設置し、箱体を折り畳む、或いは、蓋体を有する時、覆蓋片１５により、蓋体中央のギャップを遮蔽し（図１１）、置物箱に美観を提供する。
【図面の簡単な説明】
【００１７】
【図１】本考案の置物箱が完全に展開し、最多物品を収納することができる状態の立体図である。
【図２】図１の置物箱の上半段を内側に折り畳む動作図である。
【図３】図２の第一側壁の上半段と第二側壁の上板体を置物箱内に折り畳んだ状態を示す図である。
【図４】図１の置物箱を外側に収合する動作図である。
【図５】図４の上板体を水平状態に折り畳んだ状態を示す図である。
【図６】図５の第一側壁の上半段を下に折り畳んだ状態を示す図である。
【図７】図１の第一側壁の上半段を内側に収合する動作図である。
【図８】図７の第一側壁上の上半段を第二側壁上半段内側に収合した状態を示す図である。
【図９】本考案の置物箱を扁平状に収合した立体図である。
【図１０】本考案の箱体底面の対角線を割り、ファスナーを設置した実施例の立体図である。
【図１１】本考案の上板体辺縁に覆蓋片を設置し、箱体を折り畳んで蓋体を有する時、蓋体中央のギャップを遮蔽する実施例の立体図である。
【符号の説明】
【００１８】
１    箱体
１１  第一側壁
１１１  第一板体
１１２  第二板体
１１３  第三板体
１１４  第四板体
１１５  垂直折線
１１６  水平折線
１１７  第一斜折線
１１８  第二斜折線
１２  第二側壁
１２１  上板体
１２２  下板体
１２３  水平折線
１３  底面
１４  ファスナー
１５  覆蓋片
２    底板
【図１】
0003128060.tif 000003
【図２】
0003128060.tif 000004
【図３】
0003128060.tif 000005
【図４】
0003128060.tif 000006
【図５】
0003128060.tif 000007
【図６】
0003128060.tif 000008
【図７】
0003128060.tif 000009
【図８】
0003128060.tif 000010
【図９】
0003128060.tif 000011
【図１０】
0003128060.tif 000012
【図１１】
0003128060.tif 000013